(57)【特許請求の範囲】
【請求項１】
少なくとも、
(1) 被検物に当接させ得る光学部材と、前記被検物の像光線を平行化する後部レンズ群と、前記後部レンズ群を光軸方向に移動可能ならしめ得るフォーカシング機構とを備えたフローティング光学系と、
(2) 前記被検物から見てフローティング光学系の背後であって前記被検物の共役焦点面に位置し、照明用のスリットと観察・撮影用のスリットとが同一円周上に多数配置されている回転可能な１枚のスリット板と、
(3) 前記フローティング光学系と１枚のスリット板との間に位置するアフォーカル光学系と、
(4) 前記アフォーカル光学系内に位置し、前記照明用ならびに観察・撮影用のスリットの投影像の移動方向を調整する手段と、
(5) 前記１枚のスリット板上の照明用スリットに照明用光線を投射する照明光学系と、
(6) 前記１枚のスリット板上の観察・撮影用スリットを通過した前記被検物の像光線を観察または撮影する観察・撮影光学系と、
からなることを特徴とする角膜細胞撮影装置。
【請求項２】
照明用ならびに観察・撮影用スリットの投影像の移動方向を調整する手段とともに、照明用ならびに観察・撮影用スリットの光軸位置を調整する手段を備えていることを特徴とする請求項１記載の角膜細胞撮影装置。
【請求項３】
アフォーカル光学系内に使用波長選択フィルタを着脱自在に配置したことを特徴とする請求項１記載の角膜細胞撮影装置。
【発明の詳細な説明】
【０００１】
【産業上の利用分野】
本発明は、角膜の上皮、実質、内皮など眼球の角膜各層の細胞を広い視野で鮮明に観察ないし撮影するための装置に関するものである。
【０００２】
【従来の技術】
コンタクトレンズの影響を見る場合、あるいは、白内障手術の術前術後の診療を行う場合には、眼球の角膜細胞、さらに詳しくは、内皮細胞を観察する必要がある。
この場合において、眼球に当接させ得る前部レンズ及びこの前部レンズで捕捉された像光線を平行光線に変換する後部レンズを有する対物レンズユニットをフローティング状態に支持し、角膜細胞撮影装置（いわゆる角膜顕微鏡）の対物レンズの先端面を弱い力で眼球に押し当てるようにすると、その装置のピントが狂うことがなく、その結果安定した良好な撮影像が得られる。
【０００３】
一方、被検者の眼軸に対して斜め方向から被検部位に向けてスリット照明光を照射し、角膜表面からの反射光と角膜内皮細胞からの鏡面反射光とを分離して被検物である角膜内皮細胞をテレビカメラ等により撮影する方式が採られ、また、そのための装置も種々開発されている。
この方式ならびにこの装置を用いると、鮮明でコントラストの良い像が得られるため容易に肉眼による観察およびピント合わせを行うことができ、逆に、反射光線の混入を極力除くことができるため優れた撮影像を得ることができる。
【０００４】
【発明が解決しようとする課題】
本発明は、上述したそれぞれの利点を生かしながら、より鮮明でコントラストの良い像を得ることができるようにしたものである。また、角膜像の厚さ方向の分離を良くし、かつ、広い視野が得られるようにしたものである。
特に、照明用のスリットと観察・撮影用のスリットを１枚のスリット板上に形成することによって、照明用ならびに観察・撮影用の２枚のスリット板を用いた場合に比べて両回転軸の個々の偏心・傾きと双方の偏心・傾き、ならびに、両回転軸の回転速度ムラなどに起因する組立調整の困難さを飛躍的に改善することができるようにしたものである。
【０００５】
【課題を解決するための手段】
上記目的を達成するために、本発明では、角膜細胞撮影装置を少なくとも、
(1) 被検物に当接させ得る光学部材と、前記被検物の像光線を平行化する後部レンズ群と、前記後部レンズ群を光軸方向に移動可能ならしめ得るフォーカシング機構とを備えたフローティング光学系と、
(2) 前記被検物から見てフローティング光学系の背後であって前記被検物の共役焦点面に位置し、照明用のスリットと観察・撮影用のスリットとが同一円周上に多数配置されている回転可能な１枚のスリット板と、
(3) 前記フローティング光学系と１枚のスリット板との間に位置するアフォーカル光学系と、
(4) 前記アフォーカル光学系内に位置し、前記照明用ならびに観察・撮影用のスリットの投影像の移動方向を調整する手段と、
(5) 前記１枚のスリット板上の照明用スリットに照明用光線を投射する照明光学系と、
(6) 前記１枚のスリット板上の観察・撮影用スリットを通過した前記被検物の像光線を観察または撮影する観察・撮影光学系と、
からなるものとした。
【０００６】
本装置は、被検部である角膜面にフローティング光学系の一部である光学部材を弱い力で当接させることによって用いることができる。そして、照明用光学系により１枚のスリット板上の照明用スリットに照明用光線を投射し、このスリットの像をアフォーカル光学系およびフローティング光学系内を通して、被検部に投影結像させる。
被検部での鏡面反射光はフローティング光学系およびアフォーカル光学系内を通り、さらに、観察・撮影光学系により１枚のスリット板上に結像される。
なお、スリット板上には被検部以外からの反射光も戻ってきているが、上記結像位置（被検部と共役位置）に位置する観察・撮影用スリットにより、被検部からの鏡面反射光のみが切り取られ、それ以外の部分からの光はスリット板により遮断される。
【０００７】
このとき、１枚のスリット板上における２つのスリットは、図５の矢印Ｂ方向から見ると、回転中心の方向（図５の〇印がその方向を表わす）、移動方向（図５の矢印がその方向を表わす）とも逆になるが、本装置には、照明用ならびに観察・撮影用のスリットの投影像の移動方向を調整する手段が備えられているから、この手段によって、両スリット像の回転中心の方向および移動方向を含めて照明側の像と観察・撮影側の像とを、図６(a) に示すように、投影位置においてぴったりと一致させることができ、かつ、スリットの移動中においてもそれらが相互にずれることがない。
【０００８】
この場合において、１枚のスリット板上に形成されている照明用のスリットと観察・撮影用のスリットの幅を極めて狭く（細く）することによって、被検部の角膜層の深さ方向の分離が良くなり、スリットを走査することで分離の良い広視野の像を観察ないし撮影することができる。
【０００９】
特に、本装置では、照明用のスリットと観察・撮影用のスリットとが１枚のスリット板上に形成されているから、走査中においても、照明用に使用したスリットと観察・撮影用に使用したスリットの相互位置関係は変化することがないので、照明用ならびに観察・撮影用の２枚のスリット板を用いた場合に比べて両回転軸の個々の偏心・傾きと双方の偏心・傾き、ならびに、両回転軸の回転速度ムラなどに起因する組立調整の困難さを飛躍的に改善することができる。
【００１０】
照明用ならびに観察・撮影用スリットの投影像の移動方向を調整する手段とともに、照明用ならびに観察・撮影用スリットの光軸位置を調整する手段を備えたものとする。
このようにすると、照明光学系の光軸がスリット板と交わる点とスリット板の回転中心との距離と、観察・撮影光学系の光軸がスリット板と交わる点とスリット板の回転中心との距離とを等しくすることができ、かつ、投影側においてスリット板上の照明用スリットによるスリット像と観察・撮影用スリットによるスリット像の位置と傾きを合致させることができるのみならず、１枚のスリット板上に選択される２つのスリットの相互位置の微妙な調整が可能であるから、照明側の像と観察・撮影側の像とを投影位置においてぴったりと一致させることができ、その結果、広視野でコントラストの良い像を得ることができる。
【００１１】
アフォーカル光学系内に使用波長選択フィルタを着脱自在に配置するのが望ましい。
アフォーカル光学系内に使用波長選択フィルタが着脱自在に設置されていると、照明光や撮影光の波長を自由に選択でき、同一部位でも異なった波長による像を得ることができる。そして、このフィルタはアフォーカル光学系内に配置されているから、フィルタを着脱しても光路長は変化せず、像のフォーカス状態に変化がない。
【００１２】
【発明の実施の形態】
本発明の好ましい実施の形態を図面に基いて詳細に説明する。
図１は、光路図を主とした本装置の概略平面図、図２は、光路図を主とした本装置の概略側面図である。
図１において、３は被検部１の角膜面２に当接させ得る前部レンズで、通常、コーンレンズと呼ばれている。４は後部レンズ群で、１つの鏡胴５に収容されており、後部レンズ群４を出た光線（被検物の像光線）は平行化されている。
そして、前記前部レンズ３とともに後部レンズ群４，４とそれらを収容している鏡胴５とが１つのフローティング鏡胴６に収容され、対物レンズユニット７が構成されている。
なお、これらの機器はフローティング光学系Ｃに属するものである。
【００１３】
前記被検部１から見てこのフローティング光学系Ｃの背後（図１、図２の右側）であって前記被検部１の共役焦点面には、回転可能な１枚のスリット板８が配置されている。そして、前記フローティング光学系Ｃとこの１枚のスリット板８との間には、いわゆるアフォーカル光学系Ｄと呼ばれる平行光線領域が設けられ、その一方の光軸は照明光学系Ｅの光軸ｅとして、また、もう一方の光軸は観察・撮影光学系Ｆの光軸ｆとして利用される。
なお、１枚のスリット板８は、図１において図面符号20で示すモータにより、図３〜５の矢印方向に回転する。
【００１４】
前記スリット板８には、図４に示すように、多数のスリットが回転軸8cを中心とした同一円周上に等間隔で実質的に平行となるように配置されており、スリット板８の中心を通る線上における図３、図４の左側に位置するスリットを照明光学系Ｅ側の光軸ｅに対応するスリット、すなわち、照明用のスリット8aとして、また、スリット板８の中心を通る線上において前記スリット8aと180 度隔てた図３、図４の右側に位置するスリットを観察・撮影光学系Ｆの光軸ｆに対応するスリット、すなわち、観察・撮影用のスリット8bとして利用する。
【００１５】
そして、１枚のスリット板８の背後（図１、図２の右側）であって照明光学系Ｅ側の光軸ｅに対応する所（すなわち、前記照明用のスリット8aと対面する所）には、スリット板８に近い方から（図１の左側から）キセノン閃光管９、照明用リレーレンズ10、ランプ11が順に配置され、また、このスリット板８を挟んでそれらと向い合う位置、すなわち、図１のスリット板８より左側であってアフォーカル光学系Ｄの光軸ｅ上には、照明レンズ12が配置されている。
なお、この光軸ｅ上に位置するキセノン閃光管９、照明用リレーレンズ10、ランプ11ならびに照明レンズ12は照明光学系Ｅに属する機器である。
【００１６】
一方、１枚のスリット板８の背後（図１、図２の右側）であって観察・撮影光学系Ｆ側の光軸ｆに対応する所（すなわち、前記観察・撮影用のスリット8bと対面する所）には、スリット板８に近い方から（図１の左側から）観察・撮影用リレーレンズ13、ＣＣＤテレビカメラ14が順に配置され、また、このスリット板８を挟んでそれらと向い合う位置、すなわち、図１のスリット板８より左側であってアフォーカル光学系Ｄの光軸ｆ上には、観察・撮影レンズ15が配置されている。なお、この光軸ｆ上に位置する観察・撮影用リレーレンズ13ならびに観察・撮影レンズ15は、観察・撮影光学系Ｆに属する機器である。
【００１７】
本角膜細胞撮影装置にあっては、前記アフォーカル光学系Ｄ内に前記照明用ならびに観察・撮影用のスリット8a，8bの投影像の移動方向を調整する手段が設けられている。図示例の場合のこの手段とは、前記照明光学系Ｅ側の光軸ｅ上に配置されている４枚１組の反射鏡であり、図１、図２および図５において図面符号16〜19で示す。
なお、この手段を配置したことによる利点については、後で詳しく説明する。
【００１８】
一方、前記アフォーカル光学系Ｄ内には、上述した投影像の移動方向を調整する手段とともに、前記照明用ならびに観察・撮影用スリットの光軸位置を調整する手段が備えられている。
この調整手段とは、照明光学系Ｅの光軸ｅがスリット板８と交わる点とスリット板８の回転中心との距離と、観察・撮影光学系Ｆの光軸ｆがスリット板８と交わる点とスリット板８の回転中心との距離とを等しくし、かつ、投影側においてスリット板８上の照明用スリット8aによるスリット像と観察・撮影用スリット8bによるスリット像の位置と傾きを合致させ、さらに、１枚のスリット板８上に選択される２つのスリット8a，8bの相互位置関係の微妙な調整を可能ならしめるための手段を言う。
この手段をより具体的に言うと、例えば、スリット板８に対する照明レンズ12ならびに観察・撮影レンズ15の位置を調整し、あるいは、照明光学系Ｅ側の光軸ｅ上に配置されている４枚１組の反射鏡16〜19のうち反射鏡16、17の角度を調整する手段のことである。
なお、この手段を配置したことによる利点については、後で詳しく説明する。
【００１９】
本角膜細胞撮影装置は、被検部１である角膜面２にフローティング光学系Ｃの一部である前部レンズ３を弱い力で当接させることによって用いることができる。そして、照明光学系Ｅのランプ11により１枚のスリット板８上の照明用スリット8aに照明用光線を投射し、照明用リレーレンズ10、キセノン閃光管９を経て１枚のスリット板８のスリット8a部を照射する。背後から照射されたスリット8aは照明レンズ12、反射鏡16、17、18、19を順に経てアフォーカル光学系Ｄおよびフローティング光学系Ｃ内を通って、被検部１の角膜層に投影結像させることができる。
【００２０】
被検部１の角膜面２での鏡面反射光は、フローティング光学系Ｃおよびアフォーカル光学系Ｄ内を通り、さらに、観察・撮影光学系Ｆの観察・撮影レンズ15を経て１枚のスリット板８上に結像される。なお、スリット板８上には被検部１以外からの反射光も戻ってきているが、上記結像位置（被検部と共役位置）に位置する観察・撮影用スリット8bにより、被検部１からの鏡面反射光のみが切り取られ、それ以外の部分からの光はスリット板８により遮断される。
スリット8bにより切り取られた像は、観察・撮影用リレーレンズ13を経てＣＣＤテレビカメラ14の受光面に結像させることにより撮影することができる。また、肉眼で直接観察してもよい。
【００２１】
このとき、１枚のスリット板上における２つのスリットは、図５の矢印Ｂ方向から見ると、回転中心の方向（図５の〇印がその方向を表わす）、移動方向（図５の矢印がその方向を表わす）とも逆になるが、照明光学系Ｅ側の光軸ｅ上には４枚１組の反射鏡16〜19が備えられていて、それらによって照明用ならびに観察・撮影用のスリット8a，8bの投影像の移動方向を図５に示すように調整することができる。
ここに、「移動方向」とは１枚のスリット板８が回転し、観察・撮影用のスリット8bが円周方向に順次移動するのに伴い、それぞれの像が被検部１側に投影されて移動する方向のことをいい、スリット板８の照明用のスリット8aおよび観察・撮影用のスリット8bによる投影像の回転中心の方向と移動方向が反射鏡16〜19および照明レンズ12、観察・撮影レンズ15により調整される様子を図５に示す。
【００２２】
図５における〇印は投影像の回転中心の方向を、矢印は投影像の移動方向を表わしており、１枚のスリット板８上におけるスリット8aとスリット8bを図５の矢印方向から見ると、スリットに対して回転中心は逆方向になり、また、移動方向も逆になる。
ところが、その投影位置（前部レンズ３の先端付近）では、それらが回転中心の方向、移動方向も含めてぴったりと一致しなければならない。そこで、本装置には、照明用ならびに観察・撮影用のスリットの投影像の移動方向を調整する手段が、図示例の場合では、図面符号16〜19で示す４枚１組の反射鏡が配置されている。
【００２３】
４枚１組のミラー16〜19を用いることにより、投影像の回転中心の方向と移動方向とを投影位置においてぴったりと一致させることができる。図５において、照明レンズ12と反射鏡16との間にある像と反射鏡19を通った後の像を比べると、回転方向の中心と移動方向とがいずれも逆転していることが分かる。
これは、投影像の回転中心の方向と移動方向それぞれに対し反射鏡により反射させる回数と折り曲げ方向とを組み合わせつつ、１枚のスリット板８を用いた場合における光軸ｅと光軸ｆとを合成することができることを意味する。
【００２４】
従って、被検部１側に結像される照明側の像Ｏ1 〜Ｏ3 と観察・撮影側の像Ｉ1 〜Ｉ3 とを、図６(a) に示すように、投影位置においてぴったりと一致させることができ、かつ、スリットの移動中においてもそれらが相互にずれることがない。なお、図６は、図５のＢ方向から見た場合において１本のスリット像が顕微鏡の視野Ｇ内を横切る様子を段階的に示している。
【００２５】
一方、本発明の場合とは異なって２枚のスリット板８を用いる場合には、図５の矢印Ｂ方向から見て照明用ならびに観察・撮影用のスリット8a，8bの投影像の回転中心の方向と移動方向とが同じになるように、それぞれのスリット板から照明用のスリットと観察・撮影用のスリットを１つづつ選定すればよい。
しかしながら、本発明のように１枚のスリット板８で前記投影像の回転中心の方向と移動方向とが同じになるようにするには、照明用のスリットと観察・撮影用のスリットとが重なってしまい、実際に使用することができない。
【００２６】
そこで、本発明では、１枚のスリット板８上における照明用ならびに観察・撮影用のスリットによる投影像を調整する手段を用い、それによって照明用ならびに観察・撮影用のスリット8a，8bによる投影像の回転中心の方向と移動方向とがいずれも一致するようにしたものである。
なお、照明用ならびに観察・撮影用のスリット8a，8bを図示例の場合とは異なってスリット板８上の90度隔てた所に選定することもでき、その場合にも両スリット8a，8bによる投影像が投影位置において前記回転中心の方向および移動方向も含めてぴったりと一致するように反射鏡の数を選定する。
【００２７】
また、反射鏡16〜19による光路中に像回転プリズムを用いると、照明用スリット8a、観察・撮影用スリット8bの関係が180 度や90度の位置関係のみではなく、任意の位置関係で選定使用することもできる。このように、光路の折り曲げや、光路中の光学素子を選ぶことで、１枚のスリット板を用いた場合でも、このスリット板上に選択すべき２つのスリットの配置上の自由度が損なわれることがない。
【００２８】
１枚のスリット板８上に形成されている照明用のスリット8aと観察・撮影用のスリット8bの幅を、例えば、スリット板８上で約0.1mm 以下、投影場所で約20μ以下程度と極めて狭く（細く）することによって、角膜層の深さ方向の分離が良くなり、スリットを走査することで分離の良い広視野の像を観察ないし撮影することができる。
【００２９】
特に、本装置では、照明用のスリット8aと観察・撮影用のスリット8bとが１枚のスリット板８上に形成されているから、走査中においても、照明用に使用したスリットと観察・撮影用に使用したスリットの相互位置関係は変化することがないので、照明用ならびに観察・撮影用の２枚のスリット板を用いた場合に比べて両回転軸の個々の偏心・傾きと双方の偏心・傾き、ならびに、両回転軸の回転速度ムラなどに起因する組立調整の困難さを飛躍的に改善することができる。
【００３０】
また、本装置においては、スリット板８に対する照明レンズ12、観察・撮影用レンズ15の位置を調整し、あるいは、照明光学系Ｅ側の光軸ｅ上に配置されている４枚１組の反射鏡16〜19のうち反射鏡16、17の角度を調整することができるようにしてある。
この機構は、照明光学系Ｅの光軸ｅがスリット板８と交わる点とスリット板８の回転中心との距離と、観察・撮影光学系Ｆの光軸ｆがスリット板８と交わる点とスリット板８の回転中心との距離とを等しくし、かつ、投影側においてスリット板８上の照明用スリット8aによるスリット像と観察・撮影用スリット8bによるスリット像の位置と傾きを合致させ、さらに、１枚のスリット板８上に選択される２つのスリット8a，8bの相互位置関係の微妙な調整を可能ならしめるためのものである。
上記関係が正しくない場合には、図６(a) のようにはならず、図６(b) の左側に示すようにスリット像の移動中心がずれ、その結果、１枚のスリット板８上に結像される照明側の像Ｏ1 〜Ｏ3 と観察・撮影側の像Ｉ1 〜Ｉ3 とが投影位置において一致しないという現象が生じる。
【００３１】
１枚のスリット板８上に照明用のスリット8aと観察・撮影用のスリット8bとがあるということは、上述したような利点があるものの、その相互位置関係の調整という点では、スリットを個別に移動させることができないので不自由となる。
しかし、この調整手段を配置することによって、１枚のスリット板８上に選択される２つのスリット8a，8bの相互位置関係の微妙な調整が可能となり、照明側の像と観察・撮影側の像とを投影位置においてぴったりと一致させることができ、その結果、広視野でよりコントラストの良い像を得ることができる。
【００３２】
以上説明した二種の調整手段は、それぞれの調整手段とスリット板８上のスリット8a，8bとの関係を変化させ、スリット像を被検部１側へ投影する位置や向きを変更するものである。
このとき、第一の調整手段（照明用ならびに観察・撮影用スリット8a，8bの投影像の移動方向を調整する手段）は、アフォーカル光学系Ｄ内にあるので、目的により光学素子を選んだり、光路の折り曲げを工夫するに際し、光路長を自由に選定できるので有利である。
また、第二の調整手段（照明用ならびに観察・撮影用のスリット8a，8bの光軸位置を調整する手段）は、この調整手段のスリットとは反対側の部分がアフォーカル光学系Ｄに対面しているので、第二の調整手段を調整するに際して第二の調整手段とそのスリットの関係のみに注意すれば良く、反対側のレンズとの関係も変化する他の光学系の場合に比べてその度合いが少なく、有利である。
【００３３】
さらに、本装置においては、前記アフォーカル光学系Ｄ内であって反射鏡16と照明レンズ12との間、および、反射鏡19と観察・撮影レンズ15との間に、使用波長選択フィルタ21、22が着脱自在に配置されている。
両フィルタ21、22が上述した位置に配置されていると、照明光や撮影光の波長を自由に選択でき、同一部位でも異なった波長による像を得ることができる。そして、このフィルタはアフォーカル光学系Ｄ内に配置されているから、各フィルタ21、22を着脱しても光路長は変化せず、像のフォーカス状態に変化がない。
【００３４】
【発明の効果】
請求項１記載の発明によれば、照明用のスリットと観察・撮影用のスリットとが１枚のスリット板上に形成され、しかも、照明用ならびに観察・撮影用のスリットの投影像の移動方向を調整する手段が備えられているから、この手段によって、両スリット像の回転中心の方向および移動方向を含めて被検部に結像される照明側の像と観察・撮影側の像とを、投影位置においてぴったりと一致させることができ、かつ、スリットの移動中においてもそれらが相互にずれることがない。
【００３５】
特に、照明用のスリットと観察・撮影用のスリットとが１枚のスリット板上に形成されているから、走査中においても、照明用に使用したスリットと観察・撮影用に使用したスリットの相互位置関係は変化することがないので、照明用ならびに観察・撮影用の２枚のスリット板を用いた場合に比べて両回転軸の個々の偏心・傾きと双方の偏心・傾き、ならびに、両回転軸の回転速度ムラなどに起因する組立調整の困難さを飛躍的に改善することができる。
【００３６】
また、照明用ならびに観察・撮影用のスリットの投影像の移動方向を調整する手段は、アフォーカル光学系内にあるので、目的により光学素子を選定したり、光路の折り曲げを工夫するに際し、光路長を自由に選定できるという利点を有している。
【００３７】
請求項２記載の発明によれば、照明側の像と観察・撮影側の像とを投影位置においてぴったりと一致させることができ、その結果、広視野でコントラストの良い像を得ることができる。
また、照明用ならびに観察・撮影用のスリットの光軸位置を調整する手段は、この調整手段のスリットとは反対側の部分がアフォーカル光学系に対面しているので、この調整手段を調整するに際してこの調整手段とそのスリットの関係のみに注意すれば良く、反対側のレンズとの関係も変化する他の光学系の場合に比べてその度合いが少ないと言う点でも優れている。
【００３８】
請求項３記載の発明によれば、アフォーカル光学系内に使用波長選択フィルタが着脱自在に設置されているから、照明光や撮影光の波長を自由に選択でき、同一部位でも異なった波長による像を得ることができる。そして、このフィルタはアフォーカル光学系内に配置されているから、フィルタを着脱しても光路長は変化せず、像のフォーカス状態に変化がない。
【図面の簡単な説明】
【図１】光路図を主とした本装置の概略平面図である。
【図２】光路図を主とした本装置の概略側面図である。
【図３】図１のＡ方向から見た本装置の概略図である。
【図４】スリット板の拡大詳細図である。
【図５】照明用のスリットならびに観察・撮影用のスリットによる投影像の回転中心の方向と移動方向が反射鏡、照明レンズ、観察・撮影レンズにより調整される様子を示す斜視図である。
【図６】図５の矢印Ｂ方向から見た場合において、１本のスリット像が顕微鏡の視野内を横切る様子を段階的に示す概略図で、(a) は両スリット像がぴったりと重なり合っている正しい状態の場合を、(b) は両スリット像がずれている場合を示す。
【符号の説明】
１…被検物、２…眼球面、８…スリット板、8a…照明用のスリット、8b…観察・撮影用のスリット、９…キセノン閃光管、11…ランプ、12…照明レンズ、14…  ＣＣＤテレビカメラ、15…観察・撮影レンズ、16〜19…反射鏡、21，22…フィルタ、Ｃ…フローティング光学系、Ｄ…アフォーカル光学系、Ｅ…照明光学系、ｅ…光軸、Ｆ…観察・撮影光学系、ｆ…光軸、Ｇ…顕微鏡の視野、Ｏ1 〜Ｏ3 …照明側の像、Ｉ1 〜Ｉ3 …観察・撮影側の像。
【図１】
0004558157.tif 000002
【図２】
0004558157.tif 000003
【図３】
0004558157.tif 000004
【図４】
0004558157.tif 000005
【図５】
0004558157.tif 000006
【図６】
0004558157.tif 000007